(57)【要約】【課題】街を移動している途中で該当位置の標高で補正した正確な二酸化炭素濃度等を測定できるセンサー内蔵携帯機器、及びその携帯機器で測定したデータに基づいて作成した環境マップの利用を可能にした測定開示システムを提供する。【解決手段】二酸化炭素濃度及び温度等を測定するセンサー２と、測定位置を検出するためのモジュール又はセンサー（ＧＰＳモジュール３）と、測定及び測定位置の検出を開始する開始手段と、二酸化炭素濃度等を測定位置の標高及び温度情報から換算した気圧データを用いて補正する補正手段と、補正後の二酸化炭素濃度等及び測定位置を記憶する記憶手段と、出力手段とを有するセンサー内蔵携帯機器によって、上記課題を解決した。測定開示システム１０は、測定された情報を処理して環境マップを作成し且つシステム利用者に利用可能にするサーバー１１を備える。【選択図】図３
2010121953.tif 000002
【特許請求の範囲】
【請求項１】
少なくとも二酸化炭素濃度及び温度を測定するセンサーと、
前記二酸化炭素濃度及び温度の測定位置を検出するためのモジュール又はセンサーと、
前記二酸化炭素濃度及び温度の測定及び前記測定位置の検出を開始する開始手段と、
前記二酸化炭素濃度を前記測定位置の標高及び温度情報から換算した気圧データを用いて補正する補正手段と、
前記補正後の二酸化炭素濃度及び前記測定位置を記憶する記憶手段と、
前記補正後の二酸化炭素濃度及び前記測定位置を出力する出力手段とを有する、
ことを特徴とするセンサー内蔵携帯機器。
【請求項２】
前記センサーが、さらに一酸化炭素センサー、酸素センサー、メタンガスセンサー、亜酸化窒素センサー、湿度センサー、及び紫外線センサー、から選ばれる１種又は２種以上を備える、請求項１に記載のセンサー内蔵携帯機器。
【請求項３】
前記開始手段が、逐次操作する手入力スイッチ、予約された設定時刻又は設定間隔毎に開始する起動スイッチ、及び、通信回線によって外部制御される起動スイッチ、から選ばれる１種又は２種以上の手段である、請求項１又は２に記載のセンサー内蔵携帯機器。
【請求項４】
前記補正後の二酸化炭素濃度を少なくとも表示する表示手段を有する、請求項１〜３のいずれか１項に記載のセンサー内蔵携帯機器。
【請求項５】
前記出力手段が、情報処理端末にデータ送信する端末、又は、ネットワークにデータ送信する無線モジュール、を少なくとも有する、請求項１〜４のいずれか１項に記載のセンサー内蔵携帯機器。
【請求項６】
少なくとも二酸化炭素濃度及び温度を測定するセンサーと、前記二酸化炭素濃度及び温度の測定位置を検出するためのモジュール又はセンサーと、前記二酸化炭素濃度及び温度の測定及び前記測定位置の検出を開始する開始手段と、前記二酸化炭素濃度を前記測定位置の標高及び温度情報から換算した気圧データを用いて補正する補正手段と、前記補正後の二酸化炭素濃度及び前記測定位置を記憶する記憶手段と、前記補正後の二酸化炭素濃度及び前記測定位置を出力する出力手段とを有するセンサー内蔵携帯機器、及び、該センサー内蔵携帯機器の出力手段から出力された二酸化炭素濃度及び測定位置の情報を情報処理端末で情報処理した後に通信回線を経由して取得するサーバー、を備えた二酸化炭素濃度測定・開示システムであって、
前記サーバーは、前記二酸化炭素濃度及び測定位置の情報に基づいた環境マップを作成する環境マップ作成手段と、該環境マップをシステム利用者に利用可能にする情報開示手段とを有する、ことを特徴とする二酸化炭素濃度測定・開示システム。
【請求項７】
前記環境マップ作成手段が、前記二酸化炭素濃度のレベルに応じた判定を併せて行い、該判定結果を前記測定位置の情報とともにマッピングする、請求項６に記載の二酸化炭素濃度測定・開示システム。
【請求項８】
前記情報開示手段は、開示要求のあった情報提供者への送信、開示要求のあった登録された非情報提供者への送信、インターネット上への一般公開又は制限公開、及び、登録された情報提供者及び非情報提供者への送信、から選ばれる１種又は２種以上の開示を行う、請求項６又は７に記載の二酸化炭素濃度測定・開示システム。
【請求項９】
前記サーバーへの二酸化炭素濃度及び測定位置の情報提供者に対し、ポイント還元等の利益を還元する、請求項６〜８のいずれか１項に記載の二酸化炭素濃度測定・開示システム。
【請求項１０】
前記センサー内蔵携帯機器が、さらに一酸化炭素センサー、酸素センサー、メタンガスセンサー、亜酸化窒素センサー、湿度センサー、及び紫外線センサー、から選ばれる１種又は２種以上を備え、
前記サーバーが、前記１種又は２種以上のセンサーによる測定結果を処理し、開示する、請求項６〜９のいずれか１項に記載の二酸化炭素濃度測定・開示システム。
【請求項１１】
センサー内蔵携帯機器の出力手段から出力された少なくとも二酸化炭素濃度の測定結果を測定位置の標高及び温度情報から換算した気圧データを用いて補正し、補正した後の二酸化炭素濃度及び測定位置の情報を情報処理端末で情報処理した後に通信回線を経由して取得する二酸化炭素濃度測定・開示システム用サーバーであって、
少なくとも前記二酸化炭素濃度及び測定位置の情報に基づいた環境マップを作成する環境マップ作成手段と、該環境マップをシステム利用者に利用可能にする情報開示手段とを有する、ことを特徴とする二酸化炭素濃度測定・開示システム用サーバー。
【請求項１２】
前記環境マップ作成手段が、前記二酸化炭素濃度のレベルに応じた判定を併せて行い、該判定結果を前記測定位置の情報とともにマッピングする、請求項１１に記載の二酸化炭素濃度測定・開示システム用サーバー。
【請求項１３】
前記情報開示手段は、開示要求のあった情報提供者への送信、開示要求のあった登録された非情報提供者への送信、インターネット上への一般公開又は制限公開、及び、登録された情報提供者及び非情報提供者への送信、から選ばれる１種又は２種以上の開示を行う、請求項１１又は１２に記載の二酸化炭素濃度測定・開示システム用サーバー。
【請求項１４】
前記センサー内蔵携帯機器が、さらに一酸化炭素濃度、酸素濃度、メタンガス濃度、亜酸化窒素濃度、湿度、及び紫外線強度、から選ばれる１種又は２種以上の情報を出力でき、
前記サーバーが、該１種又は２種以上の情報を処理し、開示する、請求項１１〜１３のいずれか１項に記載の二酸化炭素濃度測定・開示システム用サーバー。
【請求項１５】
センサー内蔵携帯機器の出力手段から出力された少なくとも二酸化炭素濃度の測定結果を測定位置の標高及び温度情報から換算した気圧データを用いて補正し、補正した後の二酸化炭素濃度及び測定位置の情報を情報処理端末で情報処理した後に通信回線を経由して取得する二酸化炭素濃度測定・開示システム用サーバーを制御するプログラムであって、
少なくとも前記二酸化炭素濃度及び測定位置の情報に基づいた環境マップを作成する環境マップ作成ステップと、該環境マップをシステム利用者に利用可能にする情報開示ステップとを少なくとも有する、ことを特徴とするサーバー用プログラム。
【請求項１６】
前記環境マップ作成ステップが、前記二酸化炭素濃度のレベルに応じた判定を行うステップと、該判定された結果を前記測定位置の情報とともにマッピングするステップとを有する、請求項１５に記載のサーバー用プログラム。
【請求項１７】
前記情報開示ステップは、開示要求のあった情報提供者への送信ステップ、開示要求のあった登録された非情報提供者への送信ステップ、インターネット上への一般公開又は制限公開ステップ、及び、登録された情報提供者及び非情報提供者への送信ステップ、から選ばれる１種又は２種以上の開示ステップを有する、請求項１１又は１２に記載のサーバー用プログラム。
【請求項１８】
少なくとも二酸化炭素濃度及び温度を測定するセンサーと、前記二酸化炭素濃度及び温度の測定位置を検出するためのモジュール又はセンサーとを少なくとも有するセンサー内蔵携帯機器を制御する携帯機器用プログラムであって、
前記二酸化炭素濃度及び温度の測定及び前記測定位置の検出を開始する開始ステップと、前記二酸化炭素濃度を前記測定位置の標高及び温度情報から換算した気圧データを用いて補正する補正ステップと、前記補正後の二酸化炭素濃度及び前記測定位置を記憶する記憶ステップと、前記補正後の二酸化炭素濃度及び前記測定位置を出力する出力ステップとを有する、ことを特徴とする携帯機器用プログラム。
【請求項１９】
前記開始ステップが、逐次操作する手入力ステップ、予約された設定時刻又は設定間隔毎に開始する起動ステップ、及び、通信回線によって外部制御される起動ステップ、から選ばれる１種又は２種以上のステップである、請求項１８又は１９に記載の携帯機器用プログラム。
【請求項２０】
前記補正後の二酸化炭素濃度を表示手段に表示するステップを有する、請求項１８又は１９に記載の携帯機器用プログラム。
【請求項２１】
前記センサーが、さらに一酸化炭素センサー、酸素センサー、メタンガスセンサー、亜酸化窒素センサー、湿度センサー、及び紫外線センサー、から選ばれる１種又は２種以上のセンサーを有し、
前記１種又は２種以上のセンサーで測定された情報を前記二酸化炭素濃度と併せて出力するステップを有する、請求項１８〜２０のいずれか１項に記載の携帯機器用プログラム。
【発明の詳細な説明】
【技術分野】
【０００１】
本発明は、特定位置での二酸化炭素濃度等を高精度で測定するセンサー内蔵携帯機器、二酸化炭素濃度測定・開示システム、そのシステム用サーバー、そのサーバー用プログラム及び携帯機器用プログラムに関する。
【０００２】
更に詳しくは、センサー内蔵携帯機器をカバン等に取り付けて街を移動している途中で、該当位置の標高及び温度情報から換算した気圧データを用いて補正した正確な二酸化炭素濃度等を簡単に測定できるセンサー内蔵携帯機器、その携帯機器で測定したデータに基づいて所定の処理を行い、その結果を環境マップ化して自分で利用したり他人が利用したりすることを可能にする二酸化炭素濃度測定・開示システム、そのシステム用サーバー、そのサーバー用プログラム及び携帯機器用プログラムに関する。
【背景技術】
【０００３】
地球温暖化を防ぐための方策の一つとして、二酸化炭素の排出をできるだけ少なくすることが検討され且つ実行されている。そうした二酸化炭素の量を正確に測定することは、大気環境を管理する上でも重要である。例えば、幹線道路沿いの二酸化炭素濃度や公園内での二酸化炭素濃度は通常異なっているが、そうしたデータを得て環境マップにすることができれば、二酸化炭素の排出を制限するための交通規制を行ったり、公園や緑地を増やす提案を行ったりすることができ、地域貢献、ひいては地球環境への貢献が可能となる。
【０００４】
また、個人レベルにおいても、例えば出勤ルートの二酸化炭素濃度や所定の目的地までのルートの二酸化炭素濃度を知ることができれば、二酸化炭素や他の環境データを考慮してルートを選択することも可能になる。
【０００５】
なお、本発明とは異なる発明であるが、関連する技術として下記の特許文献を例示する。特許文献１には、複数の携帯電話のそれぞれの周辺の環境データの測定及び測定された環境データに基づいて所定の処理を行い、その処理結果をシステム利用者に通知することができるとされる環境データ測定システムに係る発明が提案されている。また、特許文献２には、利用者の位置情報およびその位置に関連する環境情報を記憶し、利用者の前後の行動を把握し、利用者の状態を推定することで、利用者にとって快適な空間を提供することができるとされる空調制御システムに係る発明が提案されている。
【０００６】
【特許文献１】特開２００３−１８５７６１号公報
【特許文献２】特開２００７−１０７７８２号公報
【発明の開示】
【発明が解決しようとする課題】
【０００７】
二酸化炭素濃度はセンサーで測定されるが、その値は気圧によって異なることから、正確に二酸化炭素濃度を測定するためには測定地点の気圧データを用いて補正することが必要である。しかし、二酸化炭素濃度の測定位置の気圧を測定することは必ずしも容易ではないという問題がある。
【０００８】
上記特許文献１には、二酸化炭素濃度等の空気情報を測定することが記載されているが、二酸化炭素濃度を正確に測定するためには気圧データを用いて補正することが必要であることは記載されておらず、従来のものは正確なデータを取得できないという難点があった。また、特許文献１に記載のものは、携帯電話に各種の測定機能を持たせているが、各種の環境測定センサーは必ずしも小さいものばかりでなく、携帯電話に内蔵できる程度の大きさを超えてしまうという問題がある。
【０００９】
本発明は、上記課題を解決するためになされたものであって、その目的は、センサー内蔵携帯機器をカバン等に取り付けて街を移動している途中で、該当位置の気圧データを用いて補正した正確な二酸化炭素濃度等を出力できるセンサー内蔵携帯機器を提供することにある。
【００１０】
また、本発明の他の目的は、そうしたセンサー内蔵携帯機器で測定したデータに基づいて所定の処理を行い、その結果を環境マップ化して自分で利用したり他人に利用したりしてもらうことを可能にする測定・開示システム、及びそのシステム用サーバーを提供することにある。
【００１１】
また、本発明の更に他の目的は、そうしたサーバー用のプログラム及び携帯機器用のプログラムを提供することにある。
【課題を解決するための手段】
【００１２】
上記課題を解決するための本発明のセンサー内蔵携帯機器は、少なくとも二酸化炭素濃度及び温度を測定するセンサーと、前記二酸化炭素濃度及び温度の測定位置を検出するためのモジュール又はセンサーと、前記二酸化炭素濃度及び温度の測定及び前記測定位置の検出を開始する開始手段と、前記二酸化炭素濃度を前記測定位置の標高及び温度情報から換算した気圧データを用いて補正する補正手段と、前記補正後の二酸化炭素濃度及び前記測定位置を記憶する記憶手段と、前記補正後の二酸化炭素濃度及び前記測定位置を出力する出力手段とを有する、ことを特徴とする。
【００１３】
この発明は、二酸化炭素を正確に測定するためにＧＰＳ等から位置情報を取得し、その測定位置の標高情報及び温度情報から気圧データを換算して二酸化炭素濃度データを補正したことに特徴を有するものである。このの発明によれば、センサーで測定した二酸化炭素濃度を、測定位置検出用モジュール又はセンサーで得た測定位置の標高情報及び温度情報から換算した気圧データを用いて補正する補正手段を有するので、正確な二酸化炭素濃度を出力することができる。ここで、二酸化炭素濃度の測定位置を検出するモジュール又はセンサーとしては、ＧＰＳモジュール、基地局設置場所情報と連動した位置情報検出モジュール、又は道路等に設置されたＲＦ−ＩＤを受信して位置を検出するセンサー等を挙げることができる。
【００１４】
本発明のセンサー内蔵携帯機器の好ましい態様は、前記センサーが、さらに一酸化炭素センサー、酸素センサー、メタンガスセンサー、亜酸化窒素センサー、湿度センサー、及び紫外線センサー、から選ばれる１種又は２種以上を備えるように構成する。この発明によれば、二酸化炭素センサー及び温度センサー以外のセンサーを備えるので、測定位置での多様な環境情報を測定し出力することができる。
【００１５】
本発明のセンサー内蔵携帯機器の好ましい態様は、前記開始手段が、逐次操作する手入力スイッチ、予約された設定時刻又は設定間隔毎に開始する起動スイッチ、及び、通信回線によって外部制御される起動スイッチ、から選ばれる１種又は２種以上の手段であるように構成する。この発明によれば、開始手段として、上記１種又は２種以上のスイッチを有するので、それらのスイッチにより、所望の測定データを取得することができる。
【００１６】
本発明のセンサー内蔵携帯機器の好ましい態様は、補正後の前記二酸化炭素濃度を少なくとも表示する表示装置を有するよう構成する。この発明によれば、表示装置に表示された二酸化炭素濃度等を簡易に確認することができる。
【００１７】
本発明のセンサー内蔵携帯機器の好ましい態様は、前記出力手段が、情報処理端末にデータ送信する端末、又は、ネットワークにデータ送信する無線モジュール、を少なくとも有するように構成する。この発明によれば、いずれかの出力手段を有するので、そのデータを利用して環境マップ化し、必要に応じてさらに他の利用者に供給することも可能になる。ここで、情報処理端末にデータ送信する端末として、例えばインタフェースとしては、ＵＳＢ、ＰＣカード、ＳＤカード、エクスプレスカード、携帯電話との有線接続インタフェース、Ｂｌｕｅｔｏｏｔｈ等を挙げることができる。
【００１８】
上記課題を解決するための本発明の二酸化炭素濃度測定・開示システムは、少なくとも二酸化炭素濃度及び温度を測定するセンサーと、前記二酸化炭素濃度及び温度の測定位置を検出するためのモジュール又はセンサーと、前記二酸化炭素濃度及び温度の測定及び前記測定位置の検出を開始する開始手段と、前記二酸化炭素濃度を前記測定位置の標高及び温度情報から換算した気圧データを用いて補正する補正手段と、前記補正後の二酸化炭素濃度及び前記測定位置を記憶する記憶手段と、前記補正後の二酸化炭素濃度及び前記測定位置を出力する出力手段とを有するセンサー内蔵携帯機器、及び、該センサー内蔵携帯機器の出力手段から出力された二酸化炭素濃度及び測定位置の情報を情報処理端末で情報処理した後に通信回線を経由して取得するサーバーを備えた測定・開示システムであって、前記サーバーは、前記二酸化炭素濃度及び測定位置の情報に基づいた環境マップを作成する環境マップ作成手段と、該環境マップをシステム利用者に利用可能にする情報開示手段とを有する、ことを特徴とする。
【００１９】
本発明の測定・開示システムの好ましい態様は、前記環境マップ作成手段が、前記二酸化炭素濃度のレベルに応じた判定を併せて行い、該判定結果を前記測定位置の情報とともにマッピングするように構成する。
【００２０】
本発明の測定・開示システムの好ましい態様は、前記情報開示手段は、開示要求のあった情報提供者への送信、開示要求のあった登録された非情報提供者への送信、インターネット上への一般公開又は制限公開、及び、登録された情報提供者及び非情報提供者への送信、から選ばれる１種又は２種以上の開示を行うように構成する。
【００２１】
本発明の測定・開示システムの好ましい態様は、前記サーバーへの二酸化炭素濃度及び測定位置の情報提供者に対し、ポイント還元等の利益を還元するように構成する。
【００２２】
本発明の測定・開示システムの好ましい態様は、前記センサー内蔵携帯機器が、さらに一酸化炭素センサー、酸素センサー、メタンガスセンサー、亜酸化窒素センサー、湿度センサー、及び紫外線センサー、から選ばれる１種又は２種以上を備え、前記サーバーが、該１種又は２種以上のセンサーによる測定結果を処理し、開示するように構成する。
【００２３】
上記課題を解決するための本発明の二酸化炭素濃度測定・開示システム用サーバーは、センサー内蔵携帯機器の出力手段から出力された少なくとも二酸化炭素濃度の測定結果を測定位置の標高情報及び温度から換算した気圧データを用いて補正し、補正した後の二酸化炭素濃度及び測定位置の情報を情報処理端末で情報処理した後に通信回線を経由して取得する二酸化炭素濃度測定・開示システム用サーバーであって、少なくとも前記二酸化炭素濃度及び測定位置の情報に基づいた環境マップを作成する環境マップ作成手段と、該環境マップをシステム利用者に利用可能にする情報開示手段とを有する、ことを特徴とする。
【００２４】
本発明のシステム用サーバーの好ましい態様は、前記環境マップ作成手段が、前記二酸化炭素濃度のレベルに応じた判定を併せて行い、該判定結果を前記測定位置の情報とともにマッピングするように構成する。
【００２５】
本発明のシステム用サーバーの好ましい態様は、前記情報開示手段が、開示要求のあった情報提供者への送信、開示要求のあった登録された非情報提供者への送信、インターネット上への一般公開又は制限公開、及び、登録された情報提供者及び非情報提供者への送信、から選ばれる１種又は２種以上の開示を行うように構成する。
【００２６】
本発明のシステム用サーバーの好ましい態様は、前記センサー内蔵携帯機器が、さらに一酸化炭素濃度、酸素濃度、メタンガス濃度、亜酸化窒素濃度、温度、湿度、及び紫外線強度、から選ばれる１種又は２種以上の情報を出力でき、前記サーバーが、該１種又は２種以上の情報を処理し、開示するように構成する。
【００２７】
上記課題を解決するための本発明のサーバー用プログラムは、センサー内蔵携帯機器の出力手段から出力された少なくとも二酸化炭素濃度の測定結果を測定位置の標高及び温度情報から換算した気圧データを用いて補正し、補正した後の二酸化炭素濃度及び測定位置の情報を情報処理端末で情報処理した後に通信回線を経由して取得する二酸化炭素濃度測定・開示システム用サーバーを制御するプログラムであって、少なくとも前記二酸化炭素濃度及び測定位置の情報に基づいた環境マップを作成する環境マップ作成ステップと、該環境マップをシステム利用者に利用可能にする情報開示ステップとを少なくとも有する、ことを特徴とする。
【００２８】
本発明のサーバー用プログラムの好ましい態様は、前記環境マップ作成ステップが、前記二酸化炭素濃度のレベルに応じた判定を行うステップと、該判定された結果を前記測定位置の情報とともにマッピングするステップとを有するように構成する。
【００２９】
本発明のサーバー用プログラムの好ましい態様は、前記情報開示ステップは、開示要求のあった情報提供者への送信ステップ、開示要求のあった登録された非情報提供者への送信ステップ、インターネット上への一般公開又は制限公開ステップ、及び、登録された情報提供者及び非情報提供者への送信ステップ、から選ばれる１種又は２種以上の開示ステップを有するように構成する。
【００３０】
上記課題を解決する本発明の携帯機器用プログラムは、少なくとも二酸化炭素濃度及び温度を測定するセンサーと、前記二酸化炭素濃度及び温度の測定位置を検出するためのモジュール又はセンサーとを少なくとも有するセンサー内蔵携帯機器を制御する携帯機器用プログラムであって、前記二酸化炭素濃度及び温度の測定及び前記測定位置の検出を開始する開始ステップと、前記二酸化炭素濃度を前記測定位置の標高及び温度情報から換算した気圧データを用いて補正する補正ステップと、前記補正後の二酸化炭素濃度及び前記測定位置を記憶する記憶ステップと、前記補正後の二酸化炭素濃度及び前記測定位置を出力する出力ステップとを有する、ことを特徴とする。
【００３１】
本発明の携帯機器用プログラムの好ましい態様は、前記開始ステップが、逐次操作する手入力ステップ、予約された設定時刻又は設定間隔毎に開始する起動ステップ、及び、通信回線によって外部制御される起動ステップ、から選ばれる１種又は２種以上のステップであるように構成する。
【００３２】
本発明の携帯機器用プログラムの好ましい態様は、前記補正後の二酸化炭素濃度を表示手段に表示するステップを有するように構成する。
【００３３】
本発明の携帯機器用プログラムの好ましい態様は、前記センサーが、さらに一酸化炭素センサー、酸素センサー、メタンガスセンサー、亜酸化窒素センサー、湿度センサー、及び紫外線センサー、から選ばれる１種又は２種以上のセンサーを有し、前記１種又は２種以上のセンサーで測定された情報を前記二酸化炭素濃度と併せて出力するステップを有するように構成する。
【発明の効果】
【００３４】
本発明は、二酸化炭素を正確に測定するためにＧＰＳ等から位置情報を取得し、その測定位置の標高情報及び温度情報から気圧データを換算して二酸化炭素濃度データを補正したことに特徴を有するものであって、本発明のセンサー内蔵携帯機器によれば、センサーで測定した二酸化炭素濃度及び温度を、測定位置検出用のモジュール又はセンサーで得た測定位置の標高情報及び温度情報から換算した気圧データを用いて補正する補正手段を有するので、正確な二酸化炭素濃度を出力することができる。
【００３５】
本発明の測定・開示システムによれば、センサー内蔵携帯機器の出力手段から出力された少なくとも二酸化炭素濃度及び測定位置の情報を情報処理端末で情報処理した後に通信回線を経由して取得するサーバーを備え、そのサーバーが、少なくとも二酸化炭素濃度及び測定位置の情報に基づいた環境マップを作成する環境マップ作成手段と、環境マップをシステム利用者に利用可能にする情報開示手段とを有するので、正確な二酸化炭素濃度等の情報を処理でき、さらに処理後の情報をシステム利用者に広く提供することができる。
【００３６】
本発明のシステム用サーバーによれば、正確な二酸化炭素濃度等の情報を処理でき、さらに処理後の情報をシステム利用者に広く提供することができる。
【００３７】
本発明のサーバー用プログラムによれば、少なくとも二酸化炭素濃度及び測定位置の情報に基づいた環境マップを作成する環境マップ作成ステップと、環境マップをシステム利用者に利用可能にする情報開示ステップとを少なくとも有するので、正確な二酸化炭素濃度等の情報を処理でき、さらに処理後の情報をシステム利用者に広く提供することができる。
【００３８】
本発明の携帯機器用プログラムによれば、センサーで測定した二酸化炭素濃度及び温度等を、測定位置検出用のモジュール又はセンサーで得た測定位置の標高及び温度情報から換算した気圧データを用いて補正する補正ステップを有するので、正確な二酸化炭素濃度を出力することができる。
【発明を実施するための最良の形態】
【００３９】
以下、本発明の実施の形態を図面に基づいて説明する。図１は本発明のセンサー内蔵携帯機器の一例を示す構成図であり、図２及び図３は本発明の二酸化炭素濃度測定・開示システムの一例を示す説明図であり、図４は本発明の二酸化炭素濃度測定・開示システムのさらに他の一例を示す説明図である。図５は二酸化炭素濃度等の環境データと併せてメモしたマイタウン情報の一例を示す模式図である。図６は、測定位置毎の二酸化炭素濃度等の測定結果を表すマップ（Ａ）と、その測定結果で構築したデータベース（Ｂ）の一例を示す模式図である。図７はセンサー内蔵携帯機器の測定開始までのフローチャートであり、図８はセンサー内蔵携帯機器の測定開始後のフローチャートである。また、図９はセンサー内蔵携帯機器から情報処理端末にデータ転送する際のフローチャートである。
【００４０】
［センサー内蔵携帯機器］
本発明のセンサー内蔵携帯機器１は、図１に示すように、少なくとも二酸化炭素濃度及び温度を測定するセンサー２と、二酸化炭素濃度及び温度の測定位置を検出するためのモジュール又はセンサー（以下、総称して「ＧＰＳモジュール３」として表す。）と、二酸化炭素濃度及び温度の測定及び測定位置の検出を開始する開始手段（図示しない）と、二酸化炭素濃度を測定位置の標高及び温度情報から換算した気圧データを用いて補正する補正手段（図示しない）と、補正後の二酸化炭素濃度及び測定位置を記憶する記憶手段４と、補正後の二酸化炭素濃度及び測定位置を出力する出力手段５とを有する。ここで、二酸化炭素濃度の測定位置を検出するモジュール又はセンサーとしては、ＧＰＳモジュール、基地局設置場所情報と連動した位置情報検出モジュール、又は道路等に設置されたＲＦ−ＩＤを受信して位置を検出するセンサー等を挙げることができる。
【００４１】
なお、図１中、符号６は時計を表し、符号７はバッテリーを表し、符号８はＧＰＳモジュールアンテナを表しているが、測定位置検出用のモジュールやセンサーに対応したアンテナ、例えば、基地局設置場所情報と連動した位置情報検出モジュールアンテナや、道路等に設置されたＲＦ−ＩＤを受信して位置を検出するセンサーアンテナであってもよい。
【００４２】
センサー内蔵携帯機器１の大きさは特に限定されないが、携帯電話よりも小さく、小型のＭＰ３程度の大きさと同程度又はそれよりも小さい小型携帯機器であることが好ましい。さらに、例えばキーホルダーのように、カバン、ベルト、携帯電話、携帯ゲーム機等に取り付けることが可能な構造であることが好ましい。それらへの取り付けは、キーホルダーや携帯ストラップ等が備える一般的な取り付け治具によって行われる。こうしたセンサー内蔵携帯機器１を上記カバン等に取り付けておけば、通勤中、仕事中、レジャー中、買い物中、散策中、散歩中等の様々な箇所での二酸化炭素濃度の測定を行うことができる。
【００４３】
センサー２は、所定の情報（本発明では二酸化炭素濃度等）を取得するセンシングデバイスであり、少なくとも二酸化炭素センサーと温度センサーを有するが、二酸化炭素センサー以外の他のセンサーをさらに有していてもよい。そうした他のセンサーとしては、一酸化炭素センサー、酸素センサー、メタンガスセンサー、亜酸化窒素センサー、湿度センサー、紫外線センサー、放射線センサー（ガイガーカウンター）等を挙げることができる。これらの他のセンサーは、無くてもよいが、１種又は２種以上を備えていてもよい。複数のセンサーを備えることにより、複数の情報を取得できる。
【００４４】
具体的には、二酸化炭素センサーは、大気環境中の二酸化炭素濃度を測定するセンサーであり、赤外線吸収型のセンサーや固体電解質型のセンサー等を好ましく挙げることができる。温度センサーとしては、白金測温抵抗体、サーミスタ、ＩＣ化温度センサー等を用いることができる。また、他のセンサーとして、一酸化炭素センサーは、接触燃焼型のセンサーや定電位電解型のセンサー等を好ましく挙げることができる。また、酸素センサーは、固体電解質型のセンサー等を好ましく挙げることができる。また、メタンガスセンサーは、接触燃焼型のセンサー等を挙げることができる。これらの方式のセンサーは好ましいタイプのものを例示しただけであり、上記以外の方式又は原理のセンサーを用いてもよいことは言うまでもない。なお、これら以外のガスセンサー、例えば亜酸化窒素センサー等を備えていてもよく、また、ガスセンサー以外の各種センサー、例えば湿度センサー、紫外線センサー、放射線センサー等を備えていてもよい。
【００４５】
ＧＰＳは、人工衛星を利用して自分が地球上のどこにいるのかを正確に割り出すシステムであり、地球周回軌道に配置された人工衛星が発信する電波を利用し、受信機の緯度・経度・高度（標高ともいう。）などを数ｃｍから数十ｍの誤差で割り出すことができる。こうしたＧＰＳを利用できるＧＰＳモジュール３は、二酸化炭素濃度及び温度の測定位置を正確に検出するための測定位置検出用のモジュール又はセンサーとしてセンサー内蔵携帯機器１に設けられる。本発明のセンサー内蔵携帯機器１では、ＧＰＳモジュール３等の測定位置検出用のモジュール又はセンサーが受信した正確な位置情報を利用し、その測定位置の標高情報と上記温度センサーで得られた温度情報とから気圧データを換算して二酸化炭素濃度データを補正することによって、正確な二酸化炭素濃度の測定を実現した点に特徴がある。
【００４６】
測定位置検出用のモジュール又はセンサーが、基地局設置場所情報と連動した位置情報検出モジュールである場合には、基地局設置場所情報に基づく位置データを二酸化炭素及び温度等の測定データと共にメモリーに記憶（記録）する。記憶された測定データと位置情報は、後述するように、情報処理端末に出力されて情報処理され、その後サーバーで処理されて環境マップ等が作成される。また、測定位置検出用のモジュール又はセンサーが、道路等に設置されたＲＦ−ＩＤ（Radio  Frequency  Identification。無線タグ、ＩＣタグ、電子タグ、無線ＩＣタグ、データキャリアなどとも呼ばれる。）との間で位置情報を受信して位置を検出するセンサーである場合には、受信した位置データを二酸化炭素及び温度等の測定データと共にメモリーに記憶（記録）する。記憶された測定データと位置情報は、後述するように、情報処理端末に出力されて情報処理され、その後サーバーで処理されて環境マップ等が作成される。
【００４７】
なお、上述したＧＰＳモジュール３を用いれば、ＧＰＳを利用して利用者の移動時の加速度を検出することも可能である。そのため、その加速度情報により、利用者が歩行中なのか車や列車での移動中なのかを判断し、その際に測定されたデータが利用可能なものかどうかを判断することもできる。このとき、例えば車や電車での移動中のように移動加速度が大きい場合には、どの地点での測定データであるかを特定できないので利用しにくいが、例えば散歩やジョギング程度の移動加速度であれば、どの地点での測定データであるかを特定できるので利用することは可能である。したがって、ＧＰＳモジュール３を用いれば、二酸化炭素等の測定を移動中に継続して行うような場合に、継続して得た測定データとその測定中の移動加速度とを対比して、測定データのうち利用できるものと利用できないものとを判別することが可能となる。
【００４８】
開始手段（図示しない）は、二酸化炭素濃度及び温度の測定と測定位置の検出とを開始するための手段である。この開始手段としては、例えば、逐次操作する手入力スイッチ、予約された設定時刻に測定を開始する起動スイッチ、予約された設定時分間隔毎に測定を開始する起動スイッチ、通信回線によって測定開始を外部制御する起動スイッチ、等を挙げることができる。これらの開始手段は、単独でも複数併用したものであってもよい。
【００４９】
具体的には、逐次操作する手入力スイッチは、手動でＯＮ／ＯＦＦすることができるスイッチであり、通勤中、仕事中、レジャー中、買い物中、散策中、散歩中等の様々な箇所で手動でＯＮ／ＯＦＦすることにより、それぞれの箇所で二酸化炭素濃度及び温度等の所定のデータを測定することができる。手動によるＯＦＦ操作はあっても無くてもよく、ＯＮ操作のみで測定を開始し、測定終了後に自動ＯＦＦするようになっていてもよい。また、ＯＮ操作後、一定時間毎に測定するように予め設定しておくことや、任意時間の範囲内で一定時間毎に測定するように予め設定しておくこともできる。こうした設定は、後述する携帯機器を制御するプログラムをインストールしたパソコン（Ｐｅｒｓｏｎａｌ  Ｃｏｍｐｕｔｅｒの略。以下同じ。）や携帯電話等にセンサー内蔵携帯機器１を接続し、そのパソコンや携帯電話等を介して設定することができる。
【００５０】
また、予約された設定時刻に測定を開始する起動スイッチや予約された設定時分間隔毎に測定を開始する起動スイッチも、前記同様、後述する携帯機器用プログラムをインストールしたパソコンや携帯電話等にセンサー内蔵携帯機器１を接続し、そのパソコンや携帯電話等で設定時刻や設定時分間隔を設定することができる。こうした設定により、毎日又は一定の曜日毎等、予約した条件に従って二酸化炭素濃度及び温度等を測定することができる。
【００５１】
また、通信回線によって測定開始を外部制御する起動スイッチは、センサー内蔵携帯機器１が通信回線からの外部制御信号を受信可能であることが条件であるが、こうした起動スイッチを備えることにより、外部からの制御信号によって二酸化炭素濃度及び温度等の測定をＯＮ／ＯＦＦすることができる。外部制御信号として、例えば、現在、携帯電話に対するサービスとして利用されているような、天気情報（晴れ、雨、雪等）、地震情報、放射線情報、紫外線情報等の各種の気象情報配信サービスを利用し、センサー内蔵携帯機器１がそうした気象情報信号を受信した時に測定を開始する起動スイッチとしてもよく、こうした外部制御信号により、センサー内蔵携帯機器１の二酸化炭素濃度及び温度等の測定を開始することができる。また、通信回線としては、有線でも無線でもよく、通常、インターネット網又は携帯電話網が用いられる。
【００５２】
補正手段（図示しない）は、二酸化炭素濃度を測定位置の標高及び温度情報から換算した気圧データを用いて補正するためのものである。二酸化炭素濃度の測定位置では、ＧＰＳ等から取得した測定位置の標高（高度）情報から、下記式によってその測定位置での気圧データに換算することができる。なお、下記式において、Ｐは測定位置の換算気圧（ヘクトＰａ）、Ｐ０は標高０ｍでの気圧（１０１３．２５ヘクトＰａ）、ｈはＧＰＳ等で得た測定位置の標高（ｍ）である。下記式中、Ｔ０は標高０ｍでの気温（℃）であり、その測定位置での実測温度Ｔに０．００６５×標高ｈ（ｍ）を加えた温度（Ｔ＋０．００６５ｈ）で表される。
【００５３】
［数１］
Ｐ＝Ｐ０×（１−０．００６５×ｈ／（Ｔ０＋２７３．１５））＾５．２５８
【００５４】
上記式によって得られたの気圧データを用いて二酸化炭素濃度データを補正することにより、より正確な二酸化炭素濃度を得ることができる。二酸化炭素濃度の測定実測値は、気圧Ｐが低くなるほど（すなわち標高ｈが高くなるほど）低い値を表示する傾向があるので、下記式によって補正することができる。下記式において、Ｃは補正後の二酸化炭素濃度（ｐｐｍ）、Ｃ０は二酸化炭素濃度の測定値（ｐｐｍ）、Ｐは測定位置での換算気圧（ヘクトＰａ）、Ａは補正係数である。ここで、補正係数Ａは、二酸化炭素センサーの方式（例えば赤外線吸収型のセンサーであるか固体電解質型のセンサーであるか等）、応答感度、製造ロット等によって異なるので一概に言えないが、通常は、出荷時の各センサーの補正係数をセンサー取り付け時に入力する。
【００５５】
［数２］
Ｃ＝Ｃ０×Ｐ×Ａ
【００５６】
こうした演算は、センサー内蔵携帯機器を制御する制御プログラム（本願でいう「携帯機器用プログラム」のことであり。詳しくは後述する。）に取り込まれた補正演算式を実行することにより行われる。得られた正確な二酸化炭素濃度は、特に近年の環境意識の高まりや環境政策等、世界中での環境重視の風潮及び要請に応えることができるものである。従来のような補正されていない二酸化炭素濃度の結果から構成された環境マップに対し、本発明で得られた正確な二酸化炭素濃度及び温度等の環境データを用いて作成された環境マップは、信頼性のみならず安心感をもたらすことができるという格別の効果を奏するものである。
【００５７】
記憶手段４は、補正後の二酸化炭素濃度及び測定位置を記憶するものであり、例えば一般的に使用されているメモリーを用いることができる。そうしたメモリーは、内蔵型であってもよいし、マイクロＳＤやミニＳＤのような小型のメモリーカードであってもよく、特に限定されない。
【００５８】
出力手段５は、補正後の二酸化炭素濃度及び測定位置を出力するものである。出力先としてはパソコンや携帯電話等を挙げることができ、それらへの出力手段５として、情報処理端末にデータ送信する端末、ネットワークにデータ送信する無線モジュール等を挙げることができる。情報処理端末にデータ送信する端末について、インタフェースとしては、ＵＳＢ、各種のＰＣカード、各種のＳＤカード、エクスプレスカード、携帯電話との有線接続インタフェース、Ｂｌｕｅｔｏｏｔｈ等を挙げることができる。センサー内蔵携帯機器１は、これらの出力手段５を１種又は２種以上備えている。
【００５９】
なお、図１中の時計６は、二酸化炭素濃及び温度度等の測定時刻を測定データとともにメモリー内に記憶させるため、また、一定時分間隔毎の測定を行うために用いられる。また、バッテリー７の種類は特に限定されないが、一般的な乾電池、ボタン型電池、内蔵バッテリー、充電型電池等、各種のものを用いることができる。また、ＧＰＳモジュールアンテナ８は、ＧＰＳ衛星からの信号を受信するためのアンテナである。
【００６０】
また、表示手段（図示しない）は好ましく設けられ、時刻、補正後の二酸化炭素濃度、標高、緯度、経度、その他のセンシングデータ（例えば、酸素濃度、一酸化炭素濃度、メタンガス濃度、亜酸化窒素濃度、温度、湿度、紫外線等）を表示する。また、上記した外部制御信号としての天気情報（晴れ、雨、雪等）、地震情報、放射線情報、紫外線情報等の各種の気象情報を、併せて表示することもできる。この表示手段でどのような情報を表示するか設定するための押しボタン等が設けられていることが好ましい。また、表示手段のディスプレイは、液晶表示体であっても、ＥＬ表示体であってもよく、特に限定されない。
【００６１】
こうしたセンサー内蔵携帯機器１は、図示しないが、ＣＰＵと、センサー２で所定のデータを測定制御するための制御用プログラムが記憶されたＲＯＭと、プログラム実行時に必要なデータを記憶するＲＡＭとを備えており、上記したセンサー２、ＧＰＳモジュール３、開始手段、補正手段、記憶手段４、出力手段５、表示手段等の各部の処理は、制御用プログラムをＣＰＵによって実行することによって行われる。
【００６２】
以上説明した本発明のセンサー内蔵携帯機器１によれば、センサー２で測定した少なくとも二酸化炭素濃度を、ＧＰＳモジュール３等の位置情報検出用モジュール又はセンサーで得た測定位置の標高及び温度情報から換算した気圧データを用いて補正する補正手段を有するので、正確な二酸化炭素濃度等をパソコンや携帯電話等に出力することができる。
【００６３】
［二酸化炭素濃度測定・開示システム］
次に、上記センサー内蔵携帯機器１を用いた二酸化炭素濃度測定・開示システム（以下「測定開示システム１０」と呼ぶ。）について説明する。本発明の測定開示システム１０は、図２〜図４に示すように、センサー内蔵携帯機器１と、サーバー１１と、情報処理端末（パソコン１２Ａや携帯電話１２Ｂ等）１２と、インターネット網１３又は携帯電話網１７（以下、これらを総称するときは「インターネット網等」と略す。）とを含むように構成されている。
【００６４】
センサー内蔵携帯機器１は、既述のとおり、少なくとも二酸化炭素濃度及び温度を測定するセンサー２と、二酸化炭素濃度及び温度の測定位置を検出するためのモジュール又はセンサー（総称して「ＧＰＳモジュール３」という。）と、二酸化炭素濃度及び温度の測定及び測定位置の検出を開始する開始手段と、二酸化炭素濃度を測定位置の標高及び温度情報から換算した気圧データを用いて補正する補正手段と、補正後の二酸化炭素濃度及び測定位置を記憶する記憶手段４と、補正後の二酸化炭素濃度及び測定位置を出力する出力手段５とを有するものである。このセンサー内蔵携帯機器１の構成については既に説明したので、以下の測定開示システムの説明欄ではその説明を省略する。
【００６５】
サーバー１１は、センサー内蔵携帯機器１の出力手段５から出力された二酸化炭素濃度及び測定位置の情報を、情報処理端末（例えばパソコン１２Ａ又は携帯電話１２Ｂ等）で情報処理した後に通信回線（１３，１７）を経由して取得する。さらに、このサーバー１１は、図示しないが、データから環境マップを作成する環境マップ作成手段と、作成された環境マップを配信して利用者に開示する情報開示手段とを有し、二酸化炭素濃度及び測定位置の情報に基づいた環境マップを作成するとともに、その環境マップを利用者に開示する。この環境マップ作成時においては、二酸化炭素濃度のレベルに応じた判定を併せて行うこともでき、その判定結果を測定位置の情報とともにマッピングすることができる。
【００６６】
図２は、測定開示システム１０において、センサー内蔵携帯機器１で測定したデータ２１をサーバー１１にアップロードする場合の一態様である。具体的には、二酸化炭素濃度等を測定したセンサー内蔵携帯機器１をパソコン１２Ａに接続し、センサー内蔵携帯機器１に記憶又は記録された測定データをパソコン１２Ａ内に取り込み２１、その測定データをパソコン１２Ａで情報処理した後にインターネット網１３でサーバー１１にアップロードする。なお、符号２２は、パソコン１２Ａでセンサー内蔵携帯機器１の携帯機器用プログラムを設定する場合の設定情報送信を示している。図２の態様では、測定開示システム１０への情報送信（アップロード）は、センサー内蔵携帯機器１と、情報処理端末（パソコン１２Ａ等）と、インターネット網１３と、サーバー１１と、を含むように構成されている。
【００６７】
測定開示システム１０において、システム利用者からアップロードされた情報を基にサーバー１１内では環境マップが作成されるが、図３は、作成された環境マップをシステム利用者に開示する場合の一態様である。図３の態様では、測定開示システム１０からの情報開示は、サーバー１１と、インターネット網１３と、情報処理端末（パソコン１２Ａ等）と、を含むように構成されている。
【００６８】
図４は、測定開示システム１０において、センサー内蔵携帯機器１で測定したデータ２１をサーバー１１にアップロードする場合の他の態様である。具体的には、二酸化炭素濃度等を測定したセンサー内蔵携帯機器１を携帯電話１２Ｂに接続し、センサー内蔵携帯機器１に記憶又は記録された測定データを携帯電話１２Ｂ内に取り込み、その測定データを携帯電話１２Ｂで情報処理した後に基地局１５を経由して携帯電話網１７でサーバー１１にアップロードする。なお、符号１４は、基地局１５のエリアを示しており、符号１６はＧＰＳ衛星を示している。図４の態様では、測定開示システム１０への情報送信（アップロード）は、センサー内蔵携帯機器１と、情報処理端末（携帯電話１２Ｂ等）と、携帯電話網１７と、サーバー１１と、を含むように構成されている。
【００６９】
情報処理端末としては、図２及び図３に示すように、パソコン１２Ａや携帯電話１２Ｂ等が主に利用されるが、ＰＤＡ（Ｐｅｒｓｏｎａｌ  Ｄｉｇｉｔａｌ  Ａｓｓｉｓｔａｎｔｓ）等の携帯情報端末であってもよい。これらの情報処理端末は、センサー内蔵携帯機器１から測定データを取り込んだ後、その測定データをそのまま又は加工して通信網を経由してサーバー１１にアップロードしたり、また、サーバー１１からの配信情報を通信網を経由して受け取るのに用いられる。また、センサー内蔵携帯機器１から取り込んだ測定データをサーバー１１にアップロードせず、情報処理端末内で加工してオリジナルな個人用データベースを作成することもできる。
【００７０】
図５は、二酸化炭素濃度等の環境データと併せてメモしたマイタウン情報の一例を示す模式図である。このようなオリジナルな個人用データベースは、自分の活動ルートでの二酸化炭素濃度等の環境データと併せて、その活動ルートで気がついたお店や様々な事象をメモすれば、個人レベルのオリジナルなマイタウン情報を作成することができる。なお、こうしたオリジナルなマイタウン情報を、個人のホームページやブログにアップロードしたり、サーバーにアップロードしたりして、他の利用者に提供することもできる。
【００７１】
上記した各情報処理端末は、図示しないが、いずれも、ＣＰＵと、センサーによる測定や情報処理端末内の各部の処理を制御する制御用プログラムを記憶するＲＯＭと、プログラム実行時に必要なデータを記憶するＲＡＭとを備えており、上記センサーや各部の処理は、制御プログラムをＣＰＵによって実行することによって行われる。
【００７２】
サーバー１１を構成する環境マップ作成手段は、二酸化炭素濃度等のデータから環境マップを作成する手段であり、環境マップ作成処理部（図示しない）としてサーバー１１内に含まれている。この環境マップ作成処理部は、取得した二酸化炭素濃度等のデータ及び測定位置の情報に基づき、その情報に対して統計処理等の所定の処理を行い、予め記録されている地図上に二酸化炭素濃度等のマッピングを行って環境マップを作成する。このとき、二酸化炭素濃度等及び測定位置の情報に基づいた環境マップが作成されるが、二酸化炭素濃度等のレベルに応じた判定を併せて行ってもよい。そして、その判定結果は、測定位置の情報（例えば数値など）とともに色づけしてマッピングするようにしてもよい。なお、マッピングの一例として、図６は、測定位置毎の二酸化炭素濃度等の測定結果を表すマップ（Ａ）と、その測定結果で構築したデータベース（Ｂ）を示す模式図である。
【００７３】
判定については、例えば二酸化炭素濃度については、２９０ｐｐｍ以下であれば「江戸時代以前のレベル」の表示又は黄緑色での表示、〜４５０ｐｐｍであれば「通常の外気レベル」又は緑色での表示、〜７００ｐｐｍであれば「許容範囲レベル」又は青色での表示、〜１０００ｐｐｍであれば「注意が必要なレベル」又は黄色での表示、〜２５００ｐｐｍであれば「眠気誘発レベル」又は橙色での表示、〜５０００ｐｐｍであれば「健康を害するレベル」又は赤色での表示、５０００ｐｐｍ〜であれば「危険」又は赤色点滅での表示、等を例示できる。他のデータ（酸素濃度、一酸化炭素濃度、メタンガス濃度、亜酸化窒素濃度、温度、湿度、紫外線、放射線等）についても、それぞれの判定基準に基づいて同様に表示を行うことができる。なお、判定基準はそれぞれの測定データ種毎に予め判定基準データを入力しておき、上記の判定はその基準に基づいて行う。
【００７４】
また、サーバー１１を構成する情報開示手段は、作成された環境マップを利用者に開示するする手段であり、情報開示処理部（図示しない）としてサーバー１１内に含まれている。この情報開示処理部では、開示要求のあった情報提供者への送信、開示要求のあった登録された非情報提供者への送信、インターネット上への一般公開又は制限公開、及び、登録された情報提供者及び非情報提供者への送信、から選ばれる１種又は２種以上の開示を行う。そうした送信は、情報処理端末によって予め設定された送信要求に応じて開示するようにしてもよいし、その都度の送信要求に応じて開示するようにしてもよい。開示対象の環境マップやその判定情報は、記憶装置（図示しない）に記憶されており、情報開示処理部は、情報処理端末からの送信要求に応じて記憶装置から最新の環境マップや判定情報を読み出して配信する。これらの環境マップや判定情報は、インターネットのＷｅｂページで閲覧できるように公開することもできるので、パソコン１２ＡやＰＤＡ等で閲覧することができる。また、携帯電話網で、利用者の携帯電話１２Ｂに送信することもできる。
【００７５】
こうした手段（処理部）を備えたサーバー１１は、図示しないが、ＣＰＵと、上記各処理部の処理を制御する制御用プログラムが記憶された記憶装置と、プログラム実行時に必要なデータを記憶するＲＡＭとを備えており、上記各処理部での処理は、制御用プログラムをＣＰＵによって実行することによって行われる。
【００７６】
なお、センサー内蔵携帯機器１が、二酸化炭素センサーの他、温度センサー、さらに一酸化炭素センサー、酸素センサー、メタンガスセンサー、亜酸化窒素センサー、湿度センサー、紫外線センサー、放射線センサー、から選ばれる１種又は２種以上を備えている場合には、サーバー１１は、二酸化炭素濃度及び温度のほか、それら一酸化炭素濃度、酸素濃度、メタンガス濃度、亜酸化窒素濃度、湿度、紫外線強度、及び放射線強度、から選ばれる１種又は２種以上の情報を環境マップに加え、その１種又は２種以上の情報を判定等して利用者に開示する。
【００７７】
こうした本発明の測定開示システム１０によれば、センサー内蔵携帯機器１の出力手段から出力された少なくとも二酸化炭素濃度及び測定位置の情報を情報処理端末（１２Ａ，１２Ｂ）で情報処理された後に通信回線を経由して取得するサーバー１１を有するので、正確な二酸化炭素濃度等の情報を処理でき、さらに処理後の情報をシステム利用者に広く提供することができる。
【００７８】
なお、本発明の測定開示システム１０においては、サーバー１１への二酸化炭素濃度等及び測定位置の情報提供者に対し、ポイント還元等の利益を還元するように構成してもよい。
【００７９】
［携帯機器用プログラム］
次に、センサー内蔵携帯機器用プログラム（携帯機器用プログラムと略している。）について説明する。この携帯機器用プログラムは、上記したセンサー内蔵携帯機器１を制御するためのプログラムである。このプログラムは、少なくとも二酸化炭素濃度及び温度を測定するセンサー２と、二酸化炭素濃度及び温度の測定位置を検出するためのモジュール又はセンサー（ＧＰＳモジュール３等）とを少なくとも有するセンサー内蔵携帯機器１を制御するプログラムであって、二酸化炭素濃度及び温度の測定及び測定位置の検出を開始する開始ステップと、二酸化炭素濃度を測定位置の標高及び温度情報から換算した気圧データを用いて補正する補正ステップと、補正後の二酸化炭素濃度及び測定位置を記憶する記憶ステップと、補正後の二酸化炭素濃度及び測定位置を出力する出力ステップとを有する。
【００８０】
図７は、センサー内蔵携帯機器１の測定開始までのフローチャートの一例である。このフローは、センサー内蔵携帯機器１が備えるＲＯＭに記憶された制御用プログラムをＣＰＵによって実行することによって行われる。
【００８１】
先ず、センサー内蔵携帯機器１の電源をＯＮする（ステップＳ１００）と、位置情報の検出を開始する（ステップＳ１１０）。位置情報の検出は、ＧＰＳモジュール３がＧＰＳ衛星からの位置情報を受信することによって行われる。なお、その位置情報の検出は、逐次、通常は数秒間隔で行われ、後の二酸化炭素濃度及び温度等の測定時点における位置情報をその測定データとともに記憶する。次に、二酸化炭素濃度及び温度等を測定するセンサー２を起動する（ステップＳ１２０）。このとき、二酸化炭素濃度及び温度の測定は必須の測定として開始されるので、センサー内蔵携帯機器１内のＣＰＵは、起動と同時に位置情報中の標高データ及び温度データから換算した気圧データを補正演算式に取り込み、測定される二酸化炭素濃度データを補正して正確な二酸化炭素濃度を得るように準備し、測定開始をスタンバイする（ステップＳ１３０）。
【００８２】
図８は、センサー内蔵携帯機器１の測定開始後のフローチャートの一例である。このフローも図７の場合と同様、センサー内蔵携帯機器１が備えるＲＯＭに記憶された制御用プログラムをＣＰＵによって実行することによって行われる。
【００８３】
ステップＳ２００により測定を開始する。この開始ステップ（Ｓ２００）は、逐次操作する手入力ステップ、情報処理端末（１２Ａ，１２Ｂ）により予約された設定時刻又は設定間隔毎に測定を開始する起動ステップ、及び、通信回線によって測定開始を外部制御する起動ステップ、から選ばれる１種又は２種以上のステップであるように構成することができる。
【００８４】
このとき、開始時点での位置情報をＧＰＳモジュール３が受信して検出する（ステップＳ２１０）。検出した位置情報は、検出と同時に位置情報中の標高データから換算した気圧データを補正演算式に取り込み、測定される二酸化炭素濃度データを補正して正確な二酸化炭素濃度を得るように準備する。それと同時に又は引き続いて、二酸化炭素濃度及び温度等の測定を行い、得られたデータを検出する（ステップＳ２２０）。このとき、二酸化炭素濃度データを準備された補正演算式に供給し、気圧誤差のない正確な二酸化炭素濃度を得る。それと同時に又は引き続いて、時計６から時刻情報を取得する（ステップＳ２３０）。これらの位置情報、二酸化炭素濃度等の空気成分情報、時刻情報、の全てをメモリー（記憶手段）４に記録する（ステップＳ２４０）。
【００８５】
ステップＳ２５０に示すように、メモリー容量が不足する場合及びその他測定停止条件に該当する場合は、その旨の表示及び／又は測定中止の表示を行うとともに、測定を中止する（ステップＳ２６０）。一方、ステップＳ２５０において、メモリー容量が不足しない場合及びその他測定停止条件に該当しない場合は、さらに継続して測定することができるので、必要に応じて残りの測定可能データ量等を表示するとともに、ステップＳ２１０に戻って測定を継続することができる。
【００８６】
センサー内蔵携帯機器１は、取得した測定データ及び測定位置等の情報をパソコンやネットワークにデータ送信した後においては、メモリーに記憶した情報（測定データや位置情報等）をクリアするようになっている。したがって、測定開始時のセンサー内蔵携帯機器１は、メモリーが空の状態となっているが、経時的に測定した場合のように継続的に測定データが書き込まれる場合には、メモリーが一杯になることがある。このステップＳ２５０では、そのような場合に、測定そのものを中止する（ステップＳ２６０）。その理由は、既に記録されている情報が上書きされないためである。この上書き禁止の制限は、利用者が設定又は解除できるようになっている。なお、その他測定停止条件としては、特に限定されないが、任意の様々な条件をパソコンや携帯電話等の情報処理端末を用いて設定することができる。そうした測定停止条件に該当する場合は、上記のようにその旨の表示及び／又は測定中止の表示を行うとともに、測定を中止する（ステップＳ２６０）。
【００８７】
なお、メモリー４に記録するのと同時に、補正後の二酸化炭素濃度等のデータを表示手段に表示するステップを有していてもよい。このとき、二酸化炭素濃度の他、温度データや、他の測定データを順次表示してもよいし、任意のデータを選択して表示するようにしてもよい。
【００８８】
図９は、センサー内蔵携帯機器から情報処理端末にデータ転送する際のフローチャートの一例である。このフローも図７及び図８の場合と同様、センサー内蔵携帯機器１が備えるＲＯＭに記憶された制御用プログラムをＣＰＵによって実行することによって行われる。
【００８９】
データ転送に先だって、図２及び図４に示すように、センサー内蔵携帯機器１が有する出力手段で情報処理端末（１２Ａ，１２Ｂ）に接続する。このときの出力手段としては、情報処理端末にデータ送信する例えばＵＳＢ端末を接続し、その状態でデータ転送を行う。また、センサー内蔵携帯機器１が、移動体通信端末（ＰＤＡや携帯電話等の情報処理端末）にデータ送信する無線モジュールを有する場合には、移動体通信端末に接続せずにデータ転送することもできる。こうした手段によって情報処理端末にデータ転送を開始する（ステップＳ３００）。メモリー４に記録されたデータの転送開始は、センサー内蔵携帯機器１が備える転送開始スイッチ（図示しない）で開始したり、又は、転送先の情報処理端末（１２Ａ，１２Ｂ）に表示される開始アイコン等をクリックしたりして行うことができる。
【００９０】
データ転送開始により、メモリー４に記録された位置情報、二酸化炭素濃度等のデータ、時刻情報等を読み出し、転送先である情報処理端末に送る（ステップＳ３１０）。メモリー４からデータ転送されたか否かを判断し（ステップＳ３２０）、全てデータ転送した場合にはデータ転送を終了する（ステップＳ３３０）。一方、データ転送が残っている場合又は行われなかった場合には、ステップＳ３１０に戻って残りのデータ転送を行うか、又は再び最初からデータ転送を行い、再度データ転送されたか否かを判断し（ステップＳ３２０）、全てデータ転送した場合にはデータ転送を終了する（ステップＳ３３０）。
【００９１】
なお、センサー内蔵携帯機器１が備えるセンサーが、さらに一酸化炭素センサー、酸素センサー、メタンガスセンサー、亜酸化窒素センサー、湿度センサー、紫外線センサー、及び放射線センサー、から選ばれる１種又は２種以上のセンサーを有し、その１種又は２種以上のセンサーで測定された情報（一酸化炭素濃度、酸素濃度、メタンガス濃度、亜酸化窒素濃度、温度、湿度、紫外線強度、又は放射線強度等）を二酸化炭素濃度と併せて出力するステップを有するように構成してもよい。
【００９２】
以上、本発明の携帯機器用プログラムによれば、センサー２で測定した二酸化炭素濃度等をＧＰＳモジュール３で得た測定位置の標高及び温度情報から換算した気圧データを用いて補正する補正ステップを少なくとも有するので、補正された正確な二酸化炭素濃度を出力することができる。
【００９３】
［サーバー用プログラム］
次に、サーバー用プログラムについて説明する。サーバー用プログラムは、上記したサーバー１１を制御するためのプログラムであるが、サーバー１１の動作、機能については上述した測定開示システム１０の説明欄で詳しく説明した。したがって、サーバー１１の動作、機能を実現するためのプログラムはサーバー１１の動作、機能を説明した箇所に実質的に記載されているため、ここでの説明は最小限に止めた。
【００９４】
具体的には、センサー内蔵携帯機器１の出力手段から出力された少なくとも二酸化炭素濃度の測定結果を測定位置の標高及び温度情報から換算した気圧データを用いて補正し、補正した後の二酸化炭素濃度及び測定位置の情報を情報処理端末（１２Ａ，１２Ｂ）で情報処理した後に通信回線（１３，１７）を経由して取得する測定開示システム１０用のサーバー１１を制御するプログラムであって、少なくとも二酸化炭素濃度及び測定位置の情報に基づいた環境マップを作成する環境マップ作成ステップと、その環境マップをシステム利用者に利用可能にする情報開示ステップとを少なくとも有している。
【００９５】
環境マップ作成ステップは、二酸化炭素濃度のレベルに応じた判定を行うステップと、その判定された結果を測定位置の情報とともにマッピングするステップと、を有する。
【００９６】
情報開示ステップは、開示要求のあった情報提供者への送信ステップ、開示要求のあった登録された非情報提供者への送信ステップ、インターネット上への一般公開又は制限公開ステップ、及び、登録された情報提供者及び非情報提供者への送信ステップ、から選ばれる１種又は２種以上の開示ステップを有する。
【００９７】
以上、本発明のサーバー用プログラムによれば、少なくとも二酸化炭素濃度及び測定位置の情報に基づいた環境マップを作成する環境マップ作成ステップと、環境マップをシステム利用者に利用可能にする情報開示ステップとを少なくとも有するので、正確な二酸化炭素濃度等の情報を処理でき、さらに処理後の情報をシステム利用者に広く提供することができる。
【図面の簡単な説明】
【００９８】
【図１】本発明のセンサー内蔵携帯機器の一例を示す構成図である。
【図２】本発明の二酸化炭素濃度測定・開示システムの一例を示す説明図である。
【図３】本発明の二酸化炭素濃度測定・開示システムの他の一例を示す説明図である。
【図４】本発明の二酸化炭素濃度測定・開示システムのさらに他の一例を示す説明図である。
【図５】二酸化炭素濃度等の環境データと併せてメモしたマイタウン情報の一例を示す模式図である。
【図６】測定位置毎の二酸化炭素濃度等の測定結果を表すマップ（Ａ）と、その測定結果で構築したデータベース（Ｂ）の一例を示す模式図である。
【図７】センサー内蔵携帯機器の測定開始までのフローチャートの一例である。
【図８】センサー内蔵携帯機器の測定開始後のフローチャートの一例である。
【図９】センサー内蔵携帯機器から情報処理端末にデータ転送する際のフローチャートの一例である。
【符号の説明】
【００９９】
１  センサー内蔵携帯機器
２  センサー
３  ＧＰＳモジュール
４  記憶手段
５  出力手段
６  時計
７  バッテリー
８  ＧＰＳアンテナ
１０  測定開示システム
１１  サーバー
１２Ａ  パソコン
１２Ｂ  携帯電話
１３  インターネット網
１４  エリア
１５  基地局
１６  ＧＰＳ衛星
１７  携帯電話網
２１  センサー内蔵携帯機器で測定したデータ送信
２２  センサー内蔵携帯機器の制御プログラムを設定する際の設定情報送信
【図１】
2010121953.tif 000003
【図２】
2010121953.tif 000004
【図３】
2010121953.tif 000005
【図４】
2010121953.tif 000006
【図５】
2010121953.tif 000007
【図６】
2010121953.tif 000008
【図７】
2010121953.tif 000009
【図８】
2010121953.tif 000010
【図９】
2010121953.tif 000011